(57)【要約】【課題】吐水部の電気部品に接続された電気コードを連結管を通して引張るときに、過剰な引張りを阻止することができる壁取付け型の水栓を提供する。【解決手段】本発明による壁取付け型の水栓(1)は、壁(2)に取付けられる吐水部(4)を有し、吐水部(4)は、センサ(16)及び吐水口(18)を含む。水栓(1)は、更に、吐水口(18)に接続された可撓性通水管(20)と、センサ(16)に接続された電気コード(22)を有する。通水管(20)及び電気コード(22)は、壁(2)の第１の開口(24)と第２の開口(26)との間を壁(2)の裏側で連結する連結管(28)の中に、第１の開口(24)を通して挿入され、第２の開口(26)から壁(2)の表側に出る。水栓(1)は、更に、電気コード(22)を引張ったときに電気コード(22)の過剰な引張りを阻止するように吐水部(4)内に設けられた引張り阻止部(60)を有する。【選択図】図２
2010229757.tif 000002
【特許請求の範囲】
【請求項１】
壁取付け型の水栓であって、
壁の表側に取付けられるように構成された吐水部を有し、前記吐水部は、内部空間を形成する内面と、電気部品と吐水口とを有し、
更に、前記吐水口に接続され且つ前記吐水部の内部空間から前記吐水部の外に延びる可撓性の通水管と、
前記吐水部内の電気部品に接続され且つ前記吐水部の内部空間から外に延びる電気コードと、を有し、
前記通水管及び前記電気コードは両方とも、前記吐水部が取付けられる前記壁のところに設けられた第１の開口とそれから離れたところにおいて前記壁に設けられた第２の開口との間を前記壁の裏側で連結する湾曲した連結管の中に、前記吐水部の内部空間から前記第１の開口を通して挿入され、前記第２の開口から前記壁の表側に延び、
更に、前記電気コードを前記第２の開口から引張ったときに、前記電気コードの過剰な引張りを阻止するように前記吐水部の内部空間に設けられた引張り阻止部を有することを特徴とする水栓。
【請求項２】
前記吐水部は、前記通水管及び前記電気コードが通る貫通孔を有する台座を介して前記壁に取付けられ、
前記引張り阻止部は、前記通水管を前記貫通孔に通した状態で前記貫通孔に進入することができないように前記電気コードの被覆された部分の周りに取付けられた電気コード拡張部によって構成されることを特徴とする請求項１に記載の水栓。
【請求項３】
前記引張り阻止部は、前記電気コードを前記吐水部の内面に固定する電気コード固定部によって構成されることを特徴とする請求項１に記載の水栓。
【請求項４】
前記電気コードは、前記吐水部の内部空間内に設けられたコネクタを介して接続された第１の部分及び第２の部分を有し、
前記引張り阻止部は、前記第１の開口に向かう前記コネクタの移動を阻止するように前記吐水部の内面に設けられた突出部によって構成されることを特徴とする請求項１に記載の水栓。
【発明の詳細な説明】
【技術分野】
【０００１】
本発明は、水栓に関し、特に、壁取付け型の水栓に関する。
【背景技術】
【０００２】
近年、設置面に水が溜まることがある手洗、洗面台取付け型の水栓と比較して、汚れにくいという清掃の利点を有し且つデザインがスマートである壁取付け型の水栓の要望がある（例えば、特許文献２参照）。その中でも、センサ等の電気部品を備えた吐水部と、吐水及び止水の制御を行う制御機能部とが別体に配置される壁取付け型の自動水栓は、吐水部が一段とスリムになるだけでなく、制御機能部を壁の目立たない位置に設置できるので、使用者は吐水部のみに注目することになり、デザイン性が特に優れた水栓になる（例えば、特許文献１参照）。
【０００３】
上述した壁取付け型自動水栓において、吐水部と制御機能部が別体に配置されるので、吐水部と制御機能部との間で、通水管、及びセンサコード等の電気コードを接続する必要がある。一般的には、デザイン性を考慮して、通水管及び電気コードは、壁の裏側を通る連結管の中に通される。従って、自動水栓の施工時、連結管の吐水部側から、通水管及び電気コードを押込み、連結管の反対側である制御機能部側から通水管及び電気コードが出てきたら、それらを引張ることになる。
【先行技術文献】
【特許文献】
【０００４】
【特許文献１】特開２００２−１４３００９号公報
【特許文献２】特開２００６−２２５９８９号公報
【発明の概要】
【発明が解決しようとする課題】
【０００５】
壁の裏側を通る連結管は、湾曲しており、通水管及び電気コードを引張るときに抵抗がある。また、施工者は、壁の裏側にある連結管の中の電気コードの状況を見ることはできない。そのため、施工者が、制御機能部側から電気コードを引張るとき、いっぱいまで引張ったのか、まだその途中なのかがわかりずらく、電気コードを引張りすぎると、例えば、吐水部のセンサ本体とセンサコードの接続部が破損することがある。
【０００６】
そこで、本発明は、吐水部の電気部品に接続された電気コードを連結管の中を通して引張るときに、過剰な引張りを阻止することができる壁取付け型の水栓を提供することを目的とする。
【課題を解決するための手段】
【０００７】
上記目的を達成するために、本発明による壁取付け型の水栓は、壁の表側に取付けられるように構成された吐水部を有し、吐水部は、内部空間を形成する内面と、電気部品と吐水口とを有し、水栓は、更に、吐水口に接続され且つ吐水部の内部空間から吐水部の外に延びる可撓性の通水管と、吐水部内の電気部品に接続され且つ吐水部の内部空間から外に延びる電気コードと、を有し、通水管及び電気コードは両方とも、吐水部が取付けられる壁のところに設けられた第１の開口とそれから離れたところにおいて壁に設けられた第２の開口との間を壁の裏側で連結する湾曲した連結管の中に、吐水部の内部空間から第１の開口を通して挿入され、第２の開口から壁の表側に延び、水栓は、更に、電気コードを第２の開口から引張ったときに、電気コードの過剰な引張りを阻止するように吐水部の内部空間に設けられた引張り阻止部を有することを特徴としている。
【０００８】
このように構成された壁取付け型の水栓によれば、施工時、連結管に通水管及び電気コードを通した状態で、電気コードを第２の開口から引張るとき、吐水部の内部空間に設けられた引張り阻止部が、電気コードの引張り具合を変化させることにより、電気コードをいっぱいに引張ったことを施工者に知らせ、その結果、電気コードの過剰な引張りを阻止することができる。
【０００９】
上記壁取付け型の水栓の実施形態において、好ましくは、吐水部は、通水管及び電気コードが通る貫通孔を有する台座を介して壁に取付けられ、引張り阻止部は、通水管を貫通孔に通した状態で貫通孔に進入することができない大きさで電気コードの被覆されていない部分の周りに取付けられた電気コード拡張部によって構成される。
【００１０】
この実施形態では、施工時に電気コードを第２の開口から引張るとき、電気コードに周りに取付けられた電気コード拡張部が、台座の貫通孔に引掛って貫通孔に進入できなくなる。それにより、電気コードの引張り具合を変化させ、電気コードをいっぱいに引張ったことを施工者に知らせ、その結果、電気コードの過剰な引張りを阻止することができる。
【００１１】
上記壁取付け型の水栓の実施形態において、好ましくは、引張り阻止部は、電気コードを吐水部の内面に固定する電気コード固定部によって構成される。
【００１２】
この実施形態の水栓では、施工時に電気コードを第２の開口から引張るとき、電気コードが電気コード固定部によって吐水部の内面に固定されているので、電気コードのたるみがなくなると、電気コードの引張り具合を変化させ、電気コードをいっぱいに引張ったことを施工者に知らせ、その結果、電気コードの過剰な引張りを阻止することができる。
【００１３】
上記壁取付け型の水栓の実施形態において、好ましくは、電気コードは、吐水部の内部空間内に設けられたコネクタを介して接続された第１の部分及び第２の部分を有し、引張り阻止部は、第１の開口に向かうコネクタの移動を阻止するように吐水部の内面に設けられた突出部によって構成される。
【００１４】
この実施形態の水栓では、施工時に電気コードを第２の開口から引張るとき、コネクタが、吐水部の内面に設けられた突出部に引掛って、電気コードの引張り具合を変化させ、電気コードをいっぱいに引張ったことを施工者に知らせ、その結果、電気コードの過剰な引張りを阻止することができる。
【発明の効果】
【００１５】
上述したように、本発明による壁取付け型の水栓は、吐水部の電気部品に接続された電気コードを連結管を通して引張るときに、過剰な引張りを阻止することができる。
【図面の簡単な説明】
【００１６】
【図１】壁取付け型の自動水栓システムを示す斜視図である。
【図２】図１の自動水栓システムの部分的な側面図である。
【図３】水栓の拡大縦断面図である。
【図４】台座の斜視図である。
【図５】台座の縦断面図である。
【図６】壁の斜視図である。
【図７】連結管接続部の拡大縦断面図である。
【図８】内側接続部材の斜視図である。
【図９】内側接続部材の縦断面図である。
【図１０】外側接続部材の斜視図である。
【図１１】外側接続部材の縦断面図である。
【図１２】引張り阻止部の第１の例を示す斜視図である。
【図１３】引張り阻止部の第２の例を示す、スパウトの縦断面図である。
【図１４】引張り阻止部の第３の例を示す、スパウトの縦断面図である。
【発明を実施するための形態】
【００１７】
図面を参照して、本発明による壁取付け型の水栓の実施形態を説明する。図１は、壁取付け型の自動水栓システムを示す斜視図である。図２は、図１の自動水栓システムの部分的な側面図である。図３は、後述するスパウトの拡大断面図である。図４及び図５はそれぞれ、後述する台座の斜視図及び縦断面図である。図６は、壁の斜視図である。図７は、連結管接続部の拡大縦断面図である。図８及び図９はそれぞれ、内側接続部材の斜視図及び縦断面図である。図１０及び図１１はそれぞれ、外側接続部材の斜視図及び縦断面図である。
【００１８】
図１に示すように、壁取付け型の自動水栓１は、垂直な壁２に取付けられた吐水部、即ち、スパウト４と、スパウト４とは別体で、スパウト４からの吐水を制御する制御機能部８とを有している。またボウル６が固定されたパネル５が壁２から水平に延びており吐水部４からの吐水を受けるようになっている。さらに制御機能部８はパネル５の下方で壁２に取付けられている。
【００１９】
図２に示すように、スパウト４は、壁２の表側Ａに取付けられるように構成され、壁２から水平方向に延び、概略的には、円筒形状である。また、スパウト４は、内部空間１２を形成する内面１４を有しており、スパウト４の下方に手を差し出したことを感知するセンサ（電気部品）１６及び吐水口１８を内部空間１２に含んでいる。センサ１６及び吐水口１８は、内面１４に取付けられている。
【００２０】
水栓１は、更に、吐水口１８に連通接続され且つスパウト４の内部空間１２からスパウト４の外に延びる可撓性の通水管２０と、スパウト４内のセンサ１６に接続され且つスパウト４の内部空間１２から外に延びる電気コード２２とを有している。
【００２１】
通水管２０及び電気コード２２は両方とも、スパウト４が取付けられる壁２のところに設けられた第１の開口２４とそれから離れたところにおいて壁２に設けられた第２の開口２６との間を壁２の裏側Ｂで連結する湾曲した連結管（ＣＤ管）２８の中に、スパウト４の内部空間１２から第１の開口２４を通して挿入され、第２の開口２６から壁２の表側Ａに延びている。
【００２２】
通水管２０及び電気コード２２は、更に、制御機能部８に接続されている。制御機能部８は、センサ１６の信号に応答して、通水管２０への通水及び止水、即ちスパウト４からの吐水を行う電子制御バルブ２８を有し、通水管２０は、電子制御バルブ２８を介して供給管３０に接続されている。
【００２３】
図３に示すように、スパウト４は、管状の本体１０ａと、その一方の端部を塞ぐ蓋１０ｂを有している。蓋１０ｂは、本体１０ａの一方の端部に嵌合するように構成され、Ｏリング３２によってシールされている。また、本体１０ａの反対側、即ち、壁側の端部は、通水管２０及び電気コード２２がスパウト４の外に延びる管状の取付け口１０ｃを構成している。スパウト４の取付け口１０ｃは、台座３４を介して壁２に取付けられている。
【００２４】
センサ１６と吐水口１８とは、一体に組み立てられ、本体１０ａの一方の端部から本体１０ａの内部空間１２に挿入可能な形状を有している。吐水口１８は、本体１０ａの長手方向に延びる通路１８ａと、それと連通し且つ壁から離れる方向に斜め下方に延びる通路１８ｂとを有し、通路１８ｂには、本体１０ａの下側に設けられた孔１０ｄを介して先端ノズル１８ｃが取付けられている。センサ１６は、通路１８ｂが延びる方向と同じ方向に吐水口１８に取付けられ、孔１０ｄを介して、吐水させようとする人の手を感知するように配置されている。吐水口１８は、本体１０ａの下側に設けられた孔１０ｅを介して本体１０ａの内面１４にネジ留めされている。
【００２５】
吐水口１８の通路１８ａには、通水管２０が接続されている。通水管２０の外径は、例えば、１０〜１２ｍｍであり、例えば、軟質塩ビ管で作られている。また、本体１０ａの内径は、約２６ｍｍである。
【００２６】
電気コード２２は、スパウト４の内部空間１２内に設けられたコネクタ３６を介して接続された第１の部分２２ａ及び第２の部分２２ｂを有している。
【００２７】
図３〜図５に示すように、台座３４は、壁２に固定される板状のフランジ固定部３８と、フランジ固定部３８から壁２に対して横方向に延びる筒部４０と、通水管２０及び電気コード２２が通る貫通孔４０ｂとを有している。
【００２８】
筒部４０は、スパウト４の管状の取付け口１０ｃの内側に嵌合する外周面４０ａを有している。貫通孔４０ｂの寸法及び形状は、通水管２０及び電気コード２２を通すことができる程度にできるだけ小さいことが好ましい。外周面４０ａは、下側に位置する下側部分４０ａａと、上側に位置する上側部分４０ａｂと、両側の横側部分４０ａｃを有している。横側部分４０ａｃは、平面状である。スパウト４の取付け口１０ｃの内側の形状は、スパウト４の長手方向軸線周りの取付け角度を規定するために、筒部４０と相補的な形状を有していることが好ましい。筒部４０は、その下側部分４４ａａに、スパウト４の管状の取付け口１０ｃを下方から固定するためのネジ山付き孔４０ｃを有し、スパウト４は、本体１０ａの下側に設けられた孔１０ｆを介して、台座３４の筒部４０にネジ留めされている。
【００２９】
筒部４０の外周面４０ａに、周方向に延びる溝４０ｄが、少なくとも上側部分４０ａｂに、好ましくは、全周にわたって設けられている。溝４０ｄの位置とネジ山付き孔４０ｃの位置は、スパウト４の長手方向に一致していることが好ましい。
【００３０】
図３及び図６に示すように、フランジ固定部３８が固定される壁２は、表側のタイル壁２ａと、裏側の補強パネル２ｂによって構成されている。タイル壁２ａの厚さは、タイルの種類に応じて、４〜１２ｍｍである。補強パネル２ｂは、合板等で作られ、その厚さは、９〜１２．５ｍｍである。
【００３１】
第１の開口２４は、通水管２０及び電気コード２２が通る補強パネル２ｂの開口２ｃと、補強パネル２ｂの開口２ｃよりも大きいタイル壁２ａの開口２ｄとによって構成され、それにより、補強パネル２ｂに環状の露出面２ｅが形成されている。
【００３２】
図３及び図５に示すように、台座３４のフランジ固定部３８は、壁側の取付け面３８ａと、その反対側の面３８ｂと、取付け面３８ａの周囲に設けられた環状凹面３８ｃとを有し、取付け面３８ａに取付け孔３８ｄが設けられている。取付け面３８ａは、タイル壁２ａの開口２ｄよりも小さく且つ露出面２ｅに当接したスペーサ４２を介して、壁２に取付けられている。取付け孔３８ｄに挿入された取付けネジ４４が露出面２ｅに固定されるように、取付け孔３８ｄのピッチ（直径）は、タイル壁２ａの開口２ｄの直径よりも小さくなっている。
【００３３】
図３に示すように、スパウト４は、更に、台座３４のフランジ固定部３８を覆うフランジカバー４６を有している。フランジカバー４６は、筒部４０に挿入される貫通孔４６ｃを有し且つ筒部４０とスパウト４の取付け口１０ｃと嵌合させたときにスパウト４によってフランジ固定部３８に押付けられるカバー平面部４６ａと、カバー平面部４６ａの周囲から壁２に向かって延びるカバー側面部４６ｂとを有している。カバー側面部４６ｂの内側において、カバー平面部４６ａと壁２との間にパッキン４８が設置されている。
【００３４】
図３に示すように、連結管２８が第１の開口２４に通され、台座３４に固定されたスペーサ４２に当接している。また、図２に示すように、連結管２８は、壁２の後方（裏側）に設けられた連結管固定フレーム５０に、ブラケット５２を介して固定されている。
【００３５】
図７〜図１１に示すように、連結管接続部５４が第２の開口２６に取付けられている。第２の開口２６は、タイル壁２ａ及び補強パネル２ｂに形成された互いに同じ径の孔によって構成されている。連結管接続部５４は、内側接続部材５６と、外側接続部材５８とを有している。
【００３６】
図８及び図９に示すように、内側接続部材５６は、壁２に固定されるフランジ部分５６ａを有し、フランジ部分５６ａには、通水管２０及び電気コード２２が通る貫通孔５６ｂが設けられている。内側接続部材５６は、更に、フランジ部分５６ａから表側に延びる表側筒部分５６ｃと、それから裏側に延びる裏側筒部分５６ｄとを有している。表側筒部分５６ｃは、その内面に雌ネジ山５６ｅを有している。また、表側筒部分５６ｃは、上下左右の４箇所に切欠き５６ｆを有している。
【００３７】
図１０及び図１１に示すように、外側接続部材５８は、カバー板部分５８ａと、その周囲から壁２に向かって延びるカバー側面部分５８ｂを有している。カバー板部分５８ａには、通水管２０及び電気コード２２が通る貫通孔５８ｃが設けられている。外側接続部材５８は、更に、カバー板部分５８ａから裏側に延びる二重筒部分５８ｄを有している。二重筒部分５８ｄは、その外面に、内側接続部材５６の雌ネジ山５６ｅと螺合する雄ネジ山５８ｅを有している。
【００３８】
水栓は、更に、電気コード２２を第２の開口２６から引張ったときに、電気コード２２の過剰な引張りを阻止するようにスパウト４の内部空間１２に設けられた引張り阻止部６０を有している。引張り阻止部の例を図１２〜図１４に示す。
【００３９】
図１２は、引張り阻止部の第１の例を示す斜視図である。図１２に示すように、引張り阻止部６０は、通水管２０を貫通孔に通した状態で貫通孔に進入することができないように電気コード２２の周りに取付けられた電気コード拡張部６０ａによって構成されている。具体的には、電気コード拡張部６０ａは、例えば、被覆された電気コード２２の周りに取付けられた結束バンド（電線固定具）である。
【００４０】
図１３は、引張り阻止部の第２の例を示す、スパウトの縦断面図である。図１３に示すように、引張り阻止部６０は、電気コード２２をスパウト４の内面１４に固定する電気コード固定部６０ｂによって構成されている。具体的には、電気コード固定部６０ｂは、電気コード２２の周りに取付けられた配線ねじ留め具６２と、スパウト４の内面１４に設けられた突出部６４とからなり、突出部６４は、配線ねじ留め具６２を留めるためのねじ孔を有している。このねじ孔は、スパウト４の長手方向に向けられていることが好ましい。
【００４１】
図１４は、引張り阻止部の第３の例を示す、スパウトの縦断面図である。図１４に示すように、引張り阻止部６０は、第１の開口２４に向かうコネクタ３６の移動を阻止するようにスパウト４の内面１４に設けられた突出部６０ｃによって構成されている。
【００４２】
次に、水栓の組立て方法を説明する。
【００４３】
壁２に第１の開口２４及び第２の開口２６を形成し、連結管２８を、その両端部が第１の開口２４及び第２の開口に整列するように、壁２の裏側Ｂで連結管固定フレーム５０に固定する。第１の開口２４において、タイル壁２ａの開口２４ｄを補強パネル２ｂの開口２４ｃよりも大きくし、補強パネル２ｂの露出面２ｅを形成する。
【００４４】
タイル壁２ａの厚さとほぼ同じ厚さとなるようにスペーサ４２を準備し、スペーサ４２を露出面２ｅにスペーサ４２を押し当てながら、台座３４を壁２の補強パネル２ｂに固定する。台座３４の取付け面３８ａの環状凹面３８ｃにより、台座３４のフランジ固定部３８とタイル壁２ａとの間に隙間ができる。
【００４５】
また、吐水口１８に通水管２０を接続し、センサ１６を取付ける。本体１０ａの一方の端部から、通水管２０及び電気コード２２を通し、反対側の端部（取付け口１０ｃ）から引出しておく。引き続いて、吐水口１８及びセンサ１６を本体１０ａの中に挿入する。吐水口１８を本体１０ａの孔１０ｅを利用してねじ留めし、吐水口１８に先端ノズル１８ｃを取付ける。更に、蓋１０ｂを本体１０ａに挿入する。
【００４６】
パッキン４８を台座３４の周囲に配置し、フランジカバー４６を台座３４の筒部４０に挿入する。次いで、通水管２０及び電気コード２２を、フランジカバー４６の貫通孔４６ｃ及び台座３４の貫通孔４０ｂ、第１の開口２４、連結管２８に通して、第２の開口２６から押出す。引き続いて、スパウト４を台座３４に押込む。スパウト４を、本体１０ａの孔１０ｆを利用して、ネジ留めする。パッキン４８によってフランジカバー４６と壁２との間がシールされると共に、フランジカバー４６がスパウト４に向かって押され、フランジカバー４６とスパウト４との間に簡易シールが形成される。
【００４７】
第２の開口２６から出ている通水管２０及び電気コード２２は、連結管２８の中で弛んでいるので、通水管２０及び電気コード２２を引出して弛みをとる。
【００４８】
通水管２０及び電気コード２２を内側接続部材５６の貫通孔５６ｂに通してから、内側接続部材５６を第２の開口２６のところにねじ留めする。次いで、通水管２０及び電気コード２２を外側接続部材５８の貫通孔５８ｃに通してから、外側接続部材５８を内側接続部材５６に螺合させる。次いで、通水管２０と電気コード２２を制御機能部８に接続する。
【００４９】
施工時、連結管２８に通水管２０及び電気コード２２を通した状態で、電気コード２２を第２の開口２６から引張るとき、スパウト４の内部空間１２に設けられた引張り阻止部６０が、電気コード２２の引張り具合を変化させることにより、電気コード２２をいっぱいに引張ったことを施工者に知らせ、その結果、電気コード２２の過剰な引張りを阻止することができる。
【００５０】
具体的には、図１２に示す引張り阻止部６０の第１の実施例において、施工時に電気コード２２を第２の開口２６から引張るとき、被覆されていない電気コード２２の周りに取付けられた電気コード拡張部６０ａが、台座３４の貫通孔４０ｂに引掛って貫通孔４０ｂに進入できなくなる。それにより、電気コード２２の引張り具合を変化させ、電気コード２２をいっぱいに引張ったことを施工者に知らせ、その結果、電気コード２２の過剰な引張りを阻止することができる。
【００５１】
また、図１３に示す引張り阻止部の第２の実施例において、施工時に電気コード２２を第２の開口２６から引張るとき、電気コード２２が電気コード固定部６０ｂによってスパウト４の内面１４に固定されているので、電気コード２２の弛みがなくなると、電気コード２２の引張り具合を変化させ、電気コード２２をいっぱいに引張ったことを施工者に知らせ、その結果、電気コード２２の過剰な引張りを阻止することができる。
【００５２】
また、図１４に示す引張り阻止部６０の第３の実施例において、施工時に電気コード２２を第２の開口２６から引張るとき、コネクタ３６が、スパウト４の内面１４に設けられた突出部６０ｃに引掛って、電気コード２２の引張り具合を変化させ、電気コード２２をいっぱいに引張ったことを施工者に知らせ、その結果、電気コード２２の過剰な引張りを阻止することができる。
【００５３】
上述のように電気コードの過剰な引張を阻止することで、スパウト４に設けられた電気部品であるセンサに過剰な力がかかり、破損したり、固定位置のずれを起こすことがない。
【００５４】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【符号の説明】
【００５５】
１  水栓
２  壁
４  スパウト（吐水部）
１２  内部空間
１４  内面
１６  センサ（電気部品）
１８  吐水口
２０  通水管
２２  電気コード
２４  第１の開口
２６  第２の開口
２８  連結管
３４  台座
３６コネクタ
４０ｂ  貫通孔
６０ａ  電気コード拡張部（引張り阻止部）
６０ｂ  電気コード固定部（引張り阻止部）
６０ｃ  突出部（引張り阻止部）
Ａ  表側
Ｂ  裏側
【図１】
2010229757.tif 000003
【図２】
2010229757.tif 000004
【図３】
2010229757.tif 000005
【図４】
2010229757.tif 000006
【図５】
2010229757.tif 000007
【図６】
2010229757.tif 000008
【図７】
2010229757.tif 000009
【図８】
2010229757.tif 000010
【図９】
2010229757.tif 000011
【図１０】
2010229757.tif 000012
【図１１】
2010229757.tif 000013
【図１２】
2010229757.tif 000014
【図１３】
2010229757.tif 000015
【図１４】
2010229757.tif 000016